(57)【要約】【課題】襟台部分の収縮、着用者の肥え太り等に対応して自動的に、襟台部分に対するボタンの取付位置が調整されるようになって確実にボタンを留められるようにしたシャツにおける襟台部分のボタン取付構造を提供すること。【解決手段】シャツの襟台部分１に取り付けるボタン２を、襟台部分１から延設したボタン取付片３の先端部に取り付ける。【選択図】図１
2006002261.tif 000002
【特許請求の範囲】
【請求項１】
シャツの襟台部分に取り付けるボタンを、襟台部分から延設したボタン取付片の先端部に取り付けるようにしたことを特徴とするシャツにおける襟台部分のボタン取付構造。
【請求項２】
ボタン取付片を、伸縮可能な素材にて形成するようにしたことを特徴とする請求項１記載のシャツにおける襟台部分のボタン取付構造。
【請求項３】
ボタン取付片を、襟台側にてその突出長さを調整できるようにして取り付けるようにしたことを特徴とする請求項１記載のシャツにおける襟台部分のボタン取付構造。
【発明の詳細な説明】
【技術分野】
【０００１】
本発明は、シャツにおける襟台部分のボタン取付構造に関し、特に、ワイシャツ、スポーツシャツなどのシャツにおいて、洗濯などによる襟台部分の収縮、着用者の肥え太り等によっても、ボタンの取付位置を変更しなくても、確実に襟台部分のボタンをそのボタンホールに留められるようにしたシャツにおける襟台部分のボタン取付構造に関するものである。
【背景技術】
【０００２】
従来、ワイシャツ、スポーツシャツ、ブラウスなどのシャツにおいて、着用時には襟もとがしっくりするよう、シャツの襟台部分の一端側にボタンを取り付け、これと対向する他端側にはボタンホールを穿設し、着用時このボタンホールにボタンを留めて首の周りにシャツの襟台部分が沿うように形成されている。
【０００３】
ところで、従来によるワイシャツ等のシャツの襟台部分のボタン取付構造は、襟台部分の一端側の所定位置に１つのボタンを縫い付け糸によりしっかりと取り付け、これと対向する他端側で、かつ予め定めた首周り寸法となる位置に、該ボタンが留まるようにボタンホールを形成するようにしている。
【０００４】
このため、このシャツの襟台部分のボタン取付構造においては、襟台部分のボタンとボタンホールによるボタンの留める位置が一定であるため、シャツの洗濯等により襟台部分が収縮した場合、或いは着用者の肥え太りにより、着用者の首周り寸法よりも襟台部分の首周り寸法が小さくなると、定位置にしっかりと取り付けられたボタンは、そのボタンホール位置では、図３（Ｂ）に示すように留めることができなくなり、ボタンの取付位置を変えたり、又はボタンを留めないで着用しなければならず、このボタン取付位置の変更には、固定されているボタンを一旦取り外し、再び適正な位置にて綴じ糸を用いて取り付け直す手数を要するという問題があった。
【発明の開示】
【発明が解決しようとする課題】
【０００５】
本発明は、上記従来のシャツにおける襟台部分のボタン取り付けの有する問題点に鑑み、襟台部分の収縮、着用者の肥え太り等に対応して自動的に、襟台部分に対するボタンの取付位置が調整されるようになって確実にボタンを留められるようにしたシャツにおける襟台部分のボタン取付構造を提供することを目的とする。
【課題を解決するための手段】
【０００６】
上記目的を達成するため、本発明のシャツにおける襟台部分のボタン取付構造は、シャツの襟台部分に取り付けるボタンを、襟台部分から延設したボタン取付片の先端部に取り付けるようにしたことを特徴とする。
【０００７】
この場合において、ボタン取付片を、伸縮可能な素材にて形成することができる。
【０００８】
また、ボタン取付片を、襟台側にてその突出長さを調整できるようにして取り付けることができる。
【発明の効果】
【０００９】
本発明のシャツにおける襟台部分のボタン取付構造によれば、シャツの襟台部分に取り付けるボタンを、襟台部分から延設したボタン取付片の先端部に取り付けるようにしているから、洗濯などにより襟台部分が収縮したり、或いは着用者の肥え太り等によって、ボタンに対する適正なボタンホール位置がずれるようになっても、このボタン取付片の長さを調整することで、ボタン取付位置を変更することなく、襟台部分の収縮、肥え太り等に対応して確実にボタンを留めることができる。
【００１０】
また、ボタン取付片を、伸縮可能な素材にて形成することにより、シャツの、特に襟台部分の収縮や、着用者の肥え太り等に対応して自動的に首周り寸法が調整されて確実にボタンを留めることができるとともに、シャツ着用時の運動などによる首周り寸法の変化にも自動的に追従するので、常にしっくりして着用することができる。
【００１１】
また、ボタン取付片を、襟台側にてその突出長さを調整できるようにして取り付けることにより、襟台部分の収縮、肥え太り等に対応してボタン留め位置が調整できるとともに、ボタン留め位置を、ボタン取付手数を要することなく簡易に好みの位置に調整することができる。
【発明を実施するための最良の形態】
【００１２】
以下、本発明のシャツにおける襟台部分のボタン取付構造の実施の形態を、図面に基づいて説明する。
【実施例１】
【００１３】
図１〜図２に、本発明のシャツにおける襟台部分のボタン取付構造の第１実施例を示す。
このシャツにおける襟台部分のボタン取付構造は、図１に示すように、ワイシャツ、スポーツシャツ、ブラウスなどのシャツにおいて、デザインされた襟Ｃが取り付けられ、その襟台部分１の一端側端部のボタン取付側片１１に取り付けるボタン２を、襟台端部位置のボタン取付位置から延設した帯状のボタン取付片３の先端部に綴じ糸にて取り付けるようにしている。
なお、ボタンホール４は、従来の同じようにして、襟台部分１の他端側のボタンホール穿設片１２に穿設する。
【００１４】
このボタン取付片３は、図２（Ａ）に示すように、その幅Ｗは、ボタン２の直径と同じ幅か或いはそれよりも少し小さい幅を有する帯状片ゴム紐を使用し、この基端側を図１に示すように、襟台部分１のボタン取付側片１１に糸にて逢着し、先端側に所定のボタン２を、従来の方法で綴じ糸にて取り付けて構成する。
この場合、襟台部分１の一端側端部のボタン取付側片１１に切り溝１３を切設し、この切り溝１３よりボタン取付片３の基端側を挿入してボタン取付側片１１の裏側に沿わせ、この部分を逢着する。これにより、ボタン取付側片１１の表側にボタン取付片３の基端が露出することがなく、外観を体裁良く纏めることができる。
なお、このボタン取付片３の長さＬは、洗濯などにて襟台部分１が収縮する収縮量を吸収できるようにして適当に定めるものとする。
【００１５】
また、ボタン取付片３を帯状片ゴム紐を使用しない場合、図２（Ｂ）に示すように、ボタン取付片３の基端側と襟台部分１のボタン取付側片１１の裏側に留め具５、特に限定されるものではないが、例えば、面ファスナーを取り付けて、切り溝１３より延設したボタン取付片３の長さを調整できるようにすることができる。
なお、この留め具５を取り付ける場合、シャツ着用者に、特に首周りに違和感を与えないようにする。
【００１６】
次に、本発明のシャツにおける襟台部分のボタン取付構造の作用について説明する。
通常、ワイシャツ等のシャツにおいては、首周り寸法に応じて襟台部分１の長さが設定される。本発明では、この一端のボタン取付側片１１に帯状のボタン取付片３を逢着し、このボタン取付片３の先端部にボタン２を取り付け、他端のボタンホール穿設片１２にボタンホール４を穿設している。そして、シャツ着用時、首の回りに沿うようにして襟台部分１を配設し、一端のボタン取付側片１１の上に、他端のボタンホール穿設片１２を重ね、ボタンホール４にボタン２を挿入するようにして留めている。
【００１７】
しかし、着用によってシャツが汚れた場合洗濯するが、この洗濯によりシャツ、特に襟台部分１が収縮して首周り寸法が小さくなることがある。
また、着用者の肥満によっても襟台部分１の首周り寸法が小さくなることがある。
【００１８】
このような場合においても、ボタン取付片３に帯状片ゴム紐が使用されていると、襟台部分１を首の回りに沿わたとき、ボタン取付側片１１とボタンホール穿設片１２とは、図３（Ｂ）に示すように、ボタン取付側片１１とボタンホール穿設片１２とが重ならず、隙間があくようになるが、ボタンホール４にボタン２を挿入する際、この襟台部分１の収縮した分だけボタン取付片３が伸張するようになって、ボタン２はボタンホール穿設片１２側のボタンホール４に挿入される。
【００１９】
これにより、実質的にはボタン取付側片１１とボタンホール穿設片１２とが重なっていなくても、ボタン２はしっかりとボタンホールにかけることができ、特にワイシャツの場合、この襟台部分１の外周部にネクタイ（図示省略）を着用することにより、ボタン取付側片１１とボタンホール穿設片１２とがきちんと重なっていなくてもこのネクタイにて覆うようになり、外観上問題なく着用することができる。
なお、このボタン取付片３が伸縮しない場合、面ファスナーにてボタン取付片３の取付位置を調整することで対応することができる。
【００２０】
以上、本発明のシャツにおける襟台部分のボタン取付構造について、実施例に基づいて説明したが、本発明は上記実施例に記載した構成に限定されるものではなく、例えば、ボタンを取り付けた帯状片ゴム紐のボタン取付片の基端部をボタン取付側片の表面側や、襟台部分に逢着するなど、その趣旨を逸脱しない範囲において適宜その構成を変更することができるものである。
【産業上の利用可能性】
【００２１】
本発明のシャツにおける襟台部分のボタン取付構造は、ボタンを伸縮するボタン取付片に取り付けて、ボタンの取付位置が変化するという特徴を有していることから、ワイシャツの襟台部分のボタン取付の用途に好適に用いることができるほか、例えば、ボタンを留める衣服であれば、スポーツシャツ、ブラウスなどの他のシャツにも適用することができる。
【図面の簡単な説明】
【００２２】
【図１】本発明のシャツにおける襟台部分のボタン取付構造の一実施例を示す正面図である。
【図２】ボタン取付片の説明図である。
【図３】従来のシャツにおける襟台部分のボタン取付構造を示す正面図で、（Ａ）は正常な場合を、（Ｂ）は収縮時を示す。
【符号の説明】
【００２３】
１    襟台部分
１１  襟台部分のボタン取付側片
１２  襟台部分のボタンホール穿設片
１３  切り溝
２    ボタン
３    ボタン取付片
４    ボタンホール
５    留め具（面ファスナーなど）
Ｃ    襟
【図１】
2006002261.tif 000003
【図２】
2006002261.tif 000004
【図３】
2006002261.tif 000005